(57)【要約】【課題】  居室親機が放送モードへの移行完了を待ってメッセージを送信させる集合住宅インターホンシステムを提供する。【解決手段】  居室親機２は火災センサ６の信号を受信したら制御機５に火災信号を送信する親機制御部を有し、制御機５は火災信号を受信したら複数の居室親機２に対して放送モードに移行させる放送コマンドを送付する制御機ＣＰＵ５２を有すると共に、火災発生を通知するメッセージを記憶して一斉放送を実施するための外部放送機器４が接続され、制御機ＣＰＵ５２は放送コマンドを送付してから所定時間が経過したら、外部放送機器４に対して火災発生のアナウンス放送を開始させる。【選択図】  図１
2015226271.tif 000002
【特許請求の範囲】
【請求項１】
来訪者が住戸を選択して居住者を呼び出すための集合玄関機と、呼び出しを受けて居住者が応答するための複数の居室親機と、前記集合玄関機と前記居室親機との間の通信を制御する制御機とを有する集合住宅インターホンシステムにおいて、
前記居室親機は、火災センサから火災検知信号を受信するセンサ入力部と、当該火災検知信号を受信したら前記制御機に火災信号を送信する親機制御部と、拡声報音する報音部を有する一方、
前記制御機は、前記火災信号を受信したら複数の前記居室親機に対して放送モードに移行させる放送コマンドを送付する放送制御部を有すると共に、火災放送メッセージを記憶して放送を管理する外部放送機器が接続され、
前記放送制御部は、前記放送コマンドを送付してから所定時間が経過したら、前記外部放送機器に対して火災放送メッセージの放送を開始させて、前記報音部から前記火災放送メッセージを報音させることを特徴とする集合住宅インターホンシステム。
【請求項２】
前記居室親機は、音声から成る火災発生メッセージを記憶するメッセージ記憶部を有し、
前記親機制御部は、前記火災検知信号を受けて前記制御機に対して前記火災信号を送信すると共に、前記報音部から前記火災発生メッセージの報音を実施し、
前記制御機から前記放送コマンドを受信しても、前記火災発生メッセージの報音を継続させることを特徴とする請求項１記載の集合住宅インターホンシステム。
【請求項３】
前記居室親機は前記火災発生メッセージの報音を停止する停止手段を有し、
前記親機制御部は、火災発生メッセージを報音中に前記停止手段が操作されたら、前記火災発生メッセージの報音を終了し、前記制御機から受信中の前記放送コマンドに基づき、前記火災放送メッセージの報音を開始することを特徴とする請求項２記載の集合住宅インターホンシステム。
【発明の詳細な説明】
【技術分野】
【０００１】
本発明は、集合住宅インターホンシステムに関し、特に火災が発生したら火災発生メッセージを放送する集合住宅インターホンシステムに関する。
【背景技術】
【０００２】
従来より、何れかの住戸で火災が発生したら放送により全居住者に火災発生を通知する集合住宅インターホンシステムがある（例えば、特許文献１参照）。このような集合住宅インターホンシステムにおいては、呼び出し／通話を制御する制御機に放送を管理する外部放送機器が接続され、異常発生時にこの外部放送機器を起動させて、制御機を介して各居室親機にメッセージを送信して放送が行われた。
【先行技術文献】
【特許文献】
【０００３】
【特許文献１】特開２００９−３８４４１号公報
【発明の概要】
【発明が解決しようとする課題】
【０００４】
しかしながら、上記外部放送機器を使用する放送の場合、火災確定後直ぐにメッセージを送信して放送していたため、居室親機での放送モード移行が整わない状態でメッセージの送信が開始され、メッセージの頭切れが発生する問題があった。
【０００５】
そこで、本発明はこのような問題点に鑑み、居室親機が放送モードへの移行完了を待ってメッセージの送信を開始する集合住宅インターホンシステムを提供することを目的としている。
【課題を解決するための手段】
【０００６】
上記課題を解決する為に、請求項１の発明は、来訪者が住戸を選択して居住者を呼び出すための集合玄関機と、呼び出しを受けて居住者が応答するための複数の居室親機と、集合玄関機と居室親機との間の通信を制御する制御機とを有する集合住宅インターホンシステムにおいて、居室親機は、火災センサから火災検知信号を受信するセンサ入力部と、当該火災検知信号を受信したら制御機に火災信号を送信する親機制御部と、拡声報音する報音部を有する一方、制御機は、火災信号を受信したら複数の居室親機に対して放送モードに移行させる放送コマンドを送付する放送制御部を有すると共に、火災放送メッセージを記憶して放送を管理する外部放送機器が接続され、放送制御部は、放送コマンドを送付してから所定時間が経過したら、外部放送機器に対して火災放送メッセージの放送を開始させて、報音部から火災放送メッセージを報音させることを特徴とする。
この構成によれば、居室親機を放送モードに移行させた後、所定時間の経過を待って放送が開始されるため、頭切れなく放送することができ、居住者は放送内容を確実に把握できる。
【０００７】
請求項２の発明は、請求項１に記載の構成において、居室親機は、音声から成る火災発生メッセージを記憶するメッセージ記憶部を有し、親機制御部は、火災検知信号を受けて制御機に対して火災信号を送信すると共に、報音部から火災発生メッセージの報音を実施し、制御機から放送コマンドを受信しても、火災発生メッセージの報音を継続させることを特徴とする。
この構成によれば、火災が発生した住戸の居室親機は、自身が記憶している例えば「火災が発生しました」のメッセージを報音し、「近隣で火災が発生しました」等の外部放送機器から送信されたメッセージは報音されないため、居住者は火災発生場所を間違えることがない。
【０００８】
請求項３の発明は、請求項２に記載の構成において、居室親機は火災発生メッセージの報音を停止する停止手段を有し、親機制御部は、火災発生メッセージを報音中に停止手段が操作されたら、火災発生メッセージの報音を終了し、制御機から受信中の放送コマンドに基づき、火災放送メッセージの報音を開始することを特徴とする。
この構成によれば、火災発生元の居室親機は、メッセージの停止操作が成されても、引き続き外部放送機器からの放送が実施されるため、停止操作した居住者は周囲の住戸にも通報されていることを認識でき、消火活動等に専念できる。
【発明の効果】
【０００９】
本発明によれば、居室親機を放送モードに移行させた後、所定時間の経過を待って放送が開始されるため、頭切れなく放送することができ、居住者は放送内容を確実に把握できる。
【図面の簡単な説明】
【００１０】
【図１】本発明に係る集合住宅インターホンシステムの一例を示す構成図である。
【図２】居室親機の回路ブロック図である。
【図３】制御機の回路ブロック図である。
【発明を実施するための形態】
【００１１】
以下、本発明を具体化した実施の形態を、図面を参照して詳細に説明する。図１は本発明に係る集合住宅インターホンシステムの一例を示す構成図であり、１は来訪者が住戸を選択して居住者を呼び出すための集合玄関機、２は呼び出しを受けて居住者が応答するための複数の居室親機、３は管理室に設置されて居住者との通話を可能とする管理室親機、４は放送するための音声メッセージを記憶する外部放送機器、５は機器間の通信を制御するする制御機、６は火災発生を検知する火災センサである。
集合玄関機１、管理室親機３、外部放送機器４はそれぞれ伝送線Ｌ１，Ｌ２，Ｌ３により制御機５に接続され、居室親機２は親機幹線Ｌ４を介して制御機５に接続されている。また、火災センサ６は住戸毎に設置されてそれぞれの住戸の居室親機２に接続されている。尚、Ａ１，Ａ２・・は住戸を示している。
【００１２】
集合玄関機１は、呼出先の住戸を選択する操作部１１、呼出ボタン１２、来訪者を撮像するカメラ１３、通話するマイク１４及びスピーカ１５等を備えている。
【００１３】
図２は居室親機２の主要部を回路ブロック図で示している。図２に示すように、居室親機２は、呼び出しに対する応答操作を始め各種操作を行う操作部２１、通話するためのマイク２２ａ及びスピーカ２２ｂ、マイク２２ａ及びスピーカ２２ｂを制御する通話回路２３、集合玄関機１のカメラ１３の撮像映像を表示するモニタ２４、モニタ２４に表示する映像を生成する映像処理回路２５、火災センサ６が接続されるセンサ入力部２６、居室親機２の各部を制御する親機ＣＰＵ２７、制御機５と通信する親機通信ＩＦ２８等を備えている。
尚、親機ＣＰＵ２７は、火災センサ６が火災を検知したら、それを報音通知するためのメッセージ記憶部２７ａを有している。また、管理室親機３は居室親機２と同様の回路構成となっている。
【００１４】
図３は制御機５の主要部を回路ブロック図で示している。図３に示すように、制御機５は、所定時間カウントするタイマ５１、機器間の通信の制御に加えて制御機５の各部を制御する制御機ＣＰＵ５２、集合玄関機１と通信する第１通信ＩＦ５３、居室親機２と通信する第２通信ＩＦ５４、管理室親機３と通信する第３通信ＩＦ５５、外部放送機器４と通信する第４通信ＩＦ５６等を備えている。
【００１５】
外部放送機器４は、火災発生を放送するための火災放送メッセージが記憶されており、制御機５から起動信号が送信されると、記憶している火災放送メッセージを各居室親機２へ送信し、各居室親機２で火災放送メッセージが報音される。
【００１６】
このように構成された集合住宅インターホンシステムの動作は以下の様である。但し、集合玄関機１で住戸を選択して呼び出しを行う動作、集合玄関機１の呼出信号が制御機５を介して居室親機２に送信されて居室親機２において呼出音が報音される動作、集合玄関機１のカメラ１３で撮像された映像が呼出先の居室親機２のモニタ２４に出画される動作、更には居住者が呼び出しに応答して通話する動作については従来と同様であるため説明を省略し、ここでは火災センサ６が検知動作した場合の動作を中心に説明する。
【００１７】
何れかの住戸、例えば住戸Ａ１で火災が発生すると、住戸Ａ１の火災センサ６がそれを検知して住戸Ａ１の居室親機２に火災発生信号を送信する。火災発生信号を受信した居室親機２は、親機ＣＰＵ２７が制御機５に対して火災信号を送信する。
火災信号を受信した制御機５は、制御機ＣＰＵ５２が次の制御を実施する。まず、誤検知でないか確認動作する。具体的に、タイマ５１により一定時間（例えば２分）をカウントし、カウントが終了するまでに住戸Ａ１の居室親機２が復旧操作されないか待つ。その後、復旧操作されること無くタイマ５１がカウントアップしたら、誤検知ではないと判断して住戸Ａ１の居室親機２を含め、全居室親機２，２・・に放送コマンドを送信する。
【００１８】
放送コマンドを受信した住戸Ａ１以外の居室親機２は、親機ＣＰＵ２７の制御により放送モードに移行し、制御機５から伝送された音声信号を通話回路２３が所定の増幅率でスピーカ２２ｂから報音を実施する能動状態となる。例えば、通話等をおこなっている場合でも終話させて放送モードに移行させる。
【００１９】
放送コマンドを送信した制御機ＣＰＵ５２は、次にタイマ５１により所定時間（例えば１秒）カウントし、所定時間が経過したら外部放送機器４に対して起動信号を送信する。
起動信号を受けた外部放送機器４は、火災発生を放送するための火災放送メッセージの送信を開始する。火災放送メッセージは制御機５を介して各居室親機２，２・・に伝送され、放送モード状態にある個々の居室親機２のスピーカ２２ｂから報音されてメッセージが放送される。このとき、火災放送メッセージとしては、例えば『近隣で火災が発生しました』が繰り返し放送される。
【００２０】
一方、住戸Ａ１の居室親機２では、火災センサ６から火災発生信号を受けて、外部放送機器４の動作を待たず、親機ＣＰＵ２７の制御によりメッセージ記憶部２７ａに記憶されている火災発生メッセージの報音を開始する。この結果、例えば、「火災が発生しました。」のメッセージが繰り返し報音される。但し、この報音を聞いた居住者が誤報であることを確認したら居室親機２が操作されて復旧操作が行われ、復旧信号が制御機５に送信される。
【００２１】
上述したように、この復旧操作が所定時間（２分）内に実施されれば、制御機５が放送コマンドを出力することはない。しかし、復旧操作が成されなければ、２分後、住戸Ａ１の居室親機２でも放送コマンドを受信し、このとき火災発生メッセージを放送している状況では、それを維持して外部放送機器４から送信されたメッセージの報音は行わない。但し、その後（火災発生信号を受けて２分以上が経過してから）、操作部２１の中の図示しない復旧ボタン（停止手段）が操作されて復旧操作が成されたら、放送モードに移行して他の居室親機２と同様に火災放送メッセージの放送を開始する。
【００２２】
このように、居室親機２を放送モードに移行させた後、所定時間経過後に放送が開始されるため、頭切れなく放送することができ、居住者は放送内容を確実に把握できる。例えば上述したように、制御機５において放送コマンドを送信した１秒後に外部放送機器４に起動信号を送信しているので、居室親機２において放送コマンド受信してから放送モードに移行するまで例えば０．５秒要するとしても、メッセージが送信されるまでに放送モードに移行が完了しており、頭切れなく報音をおこなうことができる。
また、火災が発生した住戸の居室親機２は、自身が記憶している例えば「火災が発生しました」のメッセージを報音し、「近隣で火災が発生しました」等の外部放送機器４から送信されたメッセージは報音されないため、居住者は火災発生場所を間違えることがない。
更に、火災発生元の居室親機２は、メッセージの停止操作が成されても、引き続き外部放送機器４からの放送が実施されるため、停止操作した居住者は周囲の住戸にも通報されていることを認識でき、消火活動等に専念できる。
【００２３】
尚、放送コマンドを送信してから外部放送機器４に対して起動信号を送信するまでの待ち時間（所定時間）は任意であり、上記実施形態では、例えば１秒としているが、０．５秒であっても良いし、２秒としても良い。
【符号の説明】
【００２４】
１・・集合玄関機、２・・居室親機、４・・外部放送機器、５・・制御機、６・・火災センサ、２１・・操作部（停止手段）、２２ｂ・・スピーカ（報音部）、２６・・センサ入力部、２７・・親機ＣＰＵ（親機制御部）、２７ａ・・メッセージ記憶部、５１・・タイマ、５２・・制御機ＣＰＵ（放送制御部）。
【図１】
2015226271.tif 000003
【図２】
2015226271.tif 000004
【図３】
2015226271.tif 000005